(57)【特許請求の範囲】
【請求項１】
スイッチキャビネットフレーム（１）と、
少なくとも１つの取り付け板保持部（２）を介して固定される取付け板（１０）と、
を備え、
前記スイッチキャビネットフレーム（１）には、４つの形材支柱（４）を備える矩形床フレーム（３）が備えられ、
前記矩形床フレーム（３）の外側面（５）に、前記スイッチキャビネットフレーム（１）の外側封止面（Ｅ）よりも、前記スイッチキャビネットフレームの内部側にずれて設けられた固定部（６）が備えられている取付け板組立体において、
前記取り付け板保持部（２）が複数の部材から構成され、支持ブラケット（７）と、前記支持ブラケット（７）に接続されたベース（８）と、を有し、
前記支持ブラケット（７）は前記固定部（６）および前記取付け板（１０）に接続され、また前記取付け板（１０）が前記ベース（８）の上に載っており、
前記取り付け板保持部（２）は、前記ベース（８）と共に、前記外側封止面（Ｅ）と前記固定部（６）との間に延長している前記４つの形材支柱（４）のうちの１つの形材面（９）の上に、設置されていることを特徴とする取付け板組立体。
【請求項２】
前記支持ブラケット（７）が前記ベース（８）にプラグ接続を介して接続されていることを特徴とする請求項１に記載の取付け板組立体。
【請求項３】
前記ベース（８）に通過部（１１）が設けられ、前記通過部（１１）を通って前記支持ブラケット（７）は、固定タブ（１２）が前記ベース（８）の両側面の間を延長し、前記固定タブ（１２）に前記取付け板（１０）が固定されていることを特徴とする請求項１または２に記載の取付け板組立体。
【請求項４】
前記支持ブラケット（７）がＬ型形状部（１３）を備え、前記Ｌ型形状部（１３）を用いて前記固定部（６）が前記支持ブラケット（７）に受け入れられることを特徴とする請求項１〜３の何れか一項に記載の取付け板組立体。
【請求項５】
前記ベース（８）は、前記支持ブラケット（７）が前記固定部（６）を受け入れるために用いられる、前記支持ブラケット（７）のＬ型形状部（１３）の上に、支持面（１４）が設けられるようにして、設置され、
前記取付け板（１０）は、自身の外周面に設けられた折り返し端部（１６）の端面（１５）が、前記支持面（１４）に載っていることを特徴とする請求項１〜４の何れか一項に記載の取付け板組立体。
【請求項６】
前記ベース（８）にスペーサー（１７）と支持面（１４）が備えられ、
前記支持ブラケット（７）は、固定タブ（１２）が前記支持面（１４）を貫通して延び、前記固定タブ（１２）に前記取付け板（１０）が固定されていることを特徴とする請求項１〜５の何れか一項に記載の取付け板組立体。
【請求項７】
前記支持面（１４）に第１開口部（１８）が設けられ、
前記支持ブラケット（７）が前記固定部（６）を受け入れるために用いられる、前記支持ブラケット（７）のＬ型形状部（１３）に、第２開口部（１９）が設けられ、
前記固定部（６）に第３開口部（２０）が設けられ、
これら３つの開口部（１８，１９，２０）は揃って配置され、特にねじ切りボルトなどの固定部材（２１）が、これら揃って配置された開口部（１８，１９，２０）を貫通していることを特徴とする請求項６に記載の取付け板組立体。
【請求項８】
前記取付け板（１０）は、鉛直の外周面に折り返し端部（１６）を備え、
前記折り返し端部（１６）は特にＣ字状折り返し端部またはＵ字状折り返し端部であって、
前記取付け板（１０）の取付け面（ＭＥ）に第１取付け形材面（２２）が配置されて設けられ、
また補強形材面（２３）が前記取付け面（ＭＥ）から垂直に隔てて設けられ
ａ）第１取付け姿勢では、前記取付け板（１０）が、前記取付け形材面（２２）を介して、前記支持ブラケット（７）の固定タブ（１２）に当接して固定され、または、
ｂ）第２取付け姿勢では、前記取付け板（１０）が、前記補強形材面（２３）を介して、前記支持ブラケット（７）の固定タブ（１２）に当接して固定される、
ことを特徴とする請求項１〜７の何れか一項に記載の取付け板組立体。
【請求項９】
前記第１取付け姿勢において、前記取付け形材面（２２）は、前記スイッチキャビネットフレーム（１）の内部側に向いている前記固定部（６）の内側固定形材面（２４）に、揃って配置され、または、
前記第２取付け姿勢において、前記取付け形材面（２２）は、前記外側封止面（Ｅ）を向いている前記固定部（６）の外側固定形材面（２５）に、揃って配置される
ことを特徴とする請求項８に記載の取付け板組立体。
【請求項１０】
前記支持ブラケット（７）は第１材料から構成され、また前記ベース（８）は前記第１材料とは異なる第２材料から構成され、前記第１材料の弾性率が前記第２材料の弾性率よりも大きいことを特徴とする請求項１〜９の何れか一項に記載の取付け板組立体。
【請求項１１】
前記第１材料を特に鋼鉄などの金属製とし、前記第２材料を特に熱可塑性の好ましくはポリアミドなどのプラスチック製とすることを特徴とする請求項１０に記載の取付け板組立体。
【請求項１２】
前記支持ブラケット（７）がＬ型形状部（１３）と固定タブ（１２）とを有するＺ型外形を有し、前記Ｌ型形状部（１３）を用いて前記支持ブラケット（７）が前記固定部（６）を受け入れ、前記固定タブ（１２）は９０°屈曲部（２６）を介して前記Ｌ型形状部（１３）に結合し、また前記固定タブ（１２）に第４開口部（２７）が設けられ、前記第４開口部（２７）は、前記取付け板（１０）の外周面に設けられた折り返し端部（１６）の別の開口部（２８）に揃って配置されていることを特徴とする請求項１〜１１の何れか一項に記載の取付け板組立体。
【請求項１３】
前記ベース（８）は、
前記形材支柱（４）の前記形材面（９）に前記ベース（８）を立てるために用いられるスペーサー（１７）と、
前記取り付け板保持部（２）が、前記固定部（６）の水平固定形材面（２９）を跨いで突出するために用いられる支持面（１４）と、
を備え、
通過部（１１）が前記ベース（８）を貫通して設けられ、
前記通過部（１１）を貫通して、前記支持ブラケット（７）の固定タブ（１２）が、前記スペーサー（１７）と前記支持面（１４）の間に設けられた移行部分で延長し、
前記支持ブラケット（７）は、自身の固定タブ（１２）を前記９０°屈曲部（２６）に隣接させて、前記スペーサー（１７）に当接していることを特徴とする請求項１２に記載の取付け板組立体。
【請求項１４】
・４つの形材支柱（４）を備える矩形床フレーム（３）が備えられたスイッチキャビネットフレーム（１）を提供するステップであって、前記矩形床フレーム（３）の外側面（５）には、前記スイッチキャビネットフレーム（１）の外側封止面（Ｅ）よりも、前記スイッチキャビネットフレーム（１）の内部側にずれて設けられた固定部（６）が備えられている、スイッチキャビネットフレーム（１）を提供するステップと、
・取付け板（１０）および取り付け板保持部（２）を提供するステップであって、前記取り付け板保持部（２）が複数の部材から構成されて、支持ブラケット（７）と、前記支持ブラケット（７）に解放可能に接続されているベース（８）と、を備えるステップと、
・前記支持ブラケット（７）の固定タブ（１２）を、前記取付け板（１０）の鉛直外側の端部に設けられた折り返し端部（１６）に固定することにより、前記前記折り返し端部（１６）の端面（１５）が前記ベース（８）に設置されるように、前記取付け板（１０）に前記取り付け板保持部（２）を取り付けるステップと、
・前記外側封止面（Ｅ）と前記固定部（６）との間に延長する、前記４つの形材支柱（４）のうちの１つの形材面（９）に、前記ベース（８）を介して前記取付け板（１０）を設置し、必要に応じて、前記取付け板（１０）の取付け面（ＭＥ）が鉛直になるまで、前記取付け板（１０）を旋回させる、前記取付け板（１０）を設置するステップと、
を備える取付け板組立体を取り付ける方法。
【請求項１５】
前記取り付け板保持部（２）を提供するステップに、
前記支持ブラケット（７）の前記固定タブ（１２）が、前記ベース（８）の通過部（１１）を通って前記ベース（８）を貫通し、
前記支持ブラケット（７）のＬ型形状部（１３）が前記ベース（８）の支持面（１４）に当接して設置されるまで、前記固定タブ（１２）を押し込むことによって、前記ベース（８）に前記支持ブラケット（７）を接続させるステップ、
が含まれていることを特徴とする請求項１４に記載の方法。
【請求項１６】
前記取付け板（１０）を設置するステップに、前記矩形床フレーム（３）の前記外側面（５）から、および／または、前記スイッチキャビネットフレーム（１）の前記外側封止面（Ｅ）から、前記取付け板（１０）を設置するステップが含まれることを特徴とする請求項１４または１５に記載の方法。
【請求項１７】
前記取付け板（１０）の設置後、前記スイッチキャビネットフレーム（１）の内部に面する、前記固定部（６）の内側固定形材面（２４）から、前記取付け板（１０）が取り外されることを特徴とする請求項１４〜１６の何れか一項に記載の方法。
【発明の詳細な説明】
【技術分野】
【０００１】
本発明は、スイッチキャビネットフレームと、そこに少なくとも１つの取り付け板保持部を介して固定された取付け板と、を有する取付け板組立体であって、前記スイッチキャビネットフレームには、４つの形材支柱を備える矩形床フレームが備えられ、前記矩形床フレームの外側面には、スイッチキャビネットフレームの外側封止面 よりも、スイッチキャビネットフレームの内部側にずらされた固定部が備えられている、取付け板組立体に関する。このような取付け板組立体は特許文献１から公知である。
【背景技術】
【０００２】
スイッチキャビネットの内部空間の最良の利用を達成するためには、取付け板をスイッチキャビネットフレーム内部でできるだけ後方に配置し、つまりスイッチキャビネットの背面にできるだけ近づけて配置させることが通常は望ましい。特に、取付け板をスイッチキャビネットに取付ける前に、取り付け板に取り付けが行われており、このためかなりの重量がある場合には、取付け板をスイッチキャビネットフレームにできるだけ簡単に固定することが望ましい。
【０００３】
したがって、本発明の目的は上記タイプの取付け板組立体をさらに発展させ、スイッチキャビネットフレームの内部に取付け板を省スペースで便利に、直ちに取付け可能とすることにある。
【先行技術文献】
【特許文献】
【０００４】
【特許文献１】独国特許出願公開第１０２０１４１０１４０４号明細書
【発明の概要】
【０００５】
この目的は請求項１に係る特徴を有する取付け板組立体を用いて達成される。請求項１４はこれに対応する取付け板組立体を取り付ける方法に関する。従属請求項は各々、本発明の有利な実施形態に関する。
【０００６】
したがって、本取り付け板組立体によれば、取り付け板保持部が複数の部材から構成され、支持ブラケットと前記支持ブラケットに接続されたベースとを備え、前記支持ブラケットは前記固定部および前記取付け板に接続され、前記取り付け板は前記ベースの上に載っており、前記取り付け板保持部は、前記ベースと共に、封止面と固定部との間に延長している矩形床フレームの４つの形材支柱のうちの１つの形材面に、設置される。
【０００７】
特に上記取付け板組立体により、取付け板をスイッチキャビネットフレームの後方で床組立体に「外側から」設置することができ、これにより取付け板をフレームだけに後から接続させることができ、例えば取付け板の上端をフレームにネジ留めすることにより取付け板をフレームに接続できる。とりわけ取付け板を、スイッチキャビネットフレームのドア側から、スイッチキャビネットの内部を通って、フレームの最後部位置まで案内させる必要はない。その代わり、予め組み立てられた少なくとも１つの取り付け板保持部を備えた取付け板を、矩形床フレームの形材支柱の形材面に外側から設置することができ、必要に応じて、取付け板を鉛直姿勢まで旋回させることができる。
【０００８】
支持ブラケットは、スイッチキャビネットフレームの内側に面する末端部に保持ウェブを備えており、保持ウェブは取付け板が鉛直姿勢にある場合に矩形床フレームの形材支柱の固定部の後ろ側に係合することができる。保持ウェブは、取付け板が形材支柱に設置されているが、鉛直に対して所定の角度、例えば３０°だけ傾いた場合に、固定部を解放するように設計することもできる。特に各部材が取付け板の取付け側面部に、スイッチキャビネットの内部側を向いて既に配置されている場合には、取付け板は、取付け板を固定部の方向またはスイッチキャビネットドア側の方向に押す、鉛直方向のトルクを持つ。
【０００９】
支持ブラケットはプラグ接続によりベースに接続することができる。またベースに通過部を設けることができ、この通過部を通って支持ブラケットは、固定タブがベースの両側面の間を延長しており、取付け板を固定タブに固定することもできる。
【００１０】
支持ブラケットにはＬ型形状部が設けられ、Ｌ型形状部を用いて固定部を受け入れることができる。特にＬ型形状部の自由端に保持ウェブを形成することができ、これが固定部の裏側に係合することによって、少なくとも取付け板が鉛直に配置されたときに、取付け板を封止面に対して垂直な方向に固定することができる。取付け板が鉛直方向に対して例えば３０°〜４５°だけ傾いたときに、保持ウェブを固定部から取り外すことができる。
【００１１】
固定部を受け入れる支持ブラケットのＬ型形状部の上にベースの支持面を載せることができ、取付け板の外周面に設けられた折り返し端部の端面が支持面に載っている。取付け板に各々折り返し端部を設けることができ、特に取付け板の各端部、好ましくは平行で鉛直の両端部に、折り返し端部を設けることができる。折り返し端部は、例えばＣ字状折り返し端部またはＵ字状折り返し端部とすることができる。取付け板は水平下端部に、取付け面から９０°折り曲げられた水平端部を設けることができ、取付け板の鉛直端部において折り返し端部の領域が凹んでおり、ベースの支持面を受け入れるレセプタクルが形成されるようになっている。
【００１２】
ベースにスペーサーと支持面を備えることができ、支持ブラケットは固定タブが支持面を貫通して延び、また固定タブに取付け板が固定されている。
【００１３】
支持面に第１開口部を設けることができ、また支持ブラケットのＬ型形状部に第２開口部を設けることができて、支持ブラケットのＬ型形状部を用いて支持ブラケットが固定部を受け入れる。固定部に第３開口部を設けることができ、これら３つの開口部を揃えて、特にねじ切りボルトなどの固定部が、これらの揃った各開口部に貫通する。
【００１４】
取付け板は、鉛直の外周面に折り返し端部、特にＣ字状折り返し端部またはＵ字状折り返し端部を備えることができて、第１取付け形材面が取付け板の取付け面に配置されて設けられ、また取付け面から垂直に隔たれた補強形材面が設けられている。補強形材面は取付け形材面と平行に延長することができる。
【００１５】
第１取付け姿勢では、取付け形材面を介して、取付け板を支持ブラケットの固定タブに当接して設置し固定することができる。
【００１６】
第２取付け姿勢では、補強形材面を介して、取付け板を支持ブラケットの固定タブに当接して設置し固定することができる。
【００１７】
第１取付け姿勢では、取付け形材面が、スイッチキャビネットフレームの内部側に向いている固定部の内側固定形材面に、揃って設けられ、または、第２取付け姿勢では、封止面に向いている固定部の外側固定形材面に、取付け形材面を揃えて設けることができる。
【００１８】
支持ブラケットは第１材料から構成することができ、またベースは第１材料とは異なる第２材料から構成することができて、第１材料の弾性率を第２材料の弾性率よりも大きくすることができる。したがって、ベースは特にベースの支持面に、減衰部の機能を持たせることができる。ベースおよび支持ブラケットの材料を上記の通りに選択すると、取り付け板保持部は、一体型の取り付け板保持部、特に鋼鉄のみからなる取り付け板保持部と比較して、特に振動により生じる機械的なストレスの下で、より大きな負荷に耐えられることがわかった。
【００１９】
例えば、第１材料を特に鋼鉄などの金属製とし、第２材料を特に熱可塑性の好ましくはポリアミドなどのプラスチック製とすることができる。
【００２０】
支持ブラケットはＺ型外形またはＺ型外形の形状を有することができ、支持ブラケットは固定部を受け入れるために用いられるＬ型形状部を備え、また９０°屈曲部からＬ型形状部に結合し、前記取付け板の外周面の折り返し端部に設けられた別の開口部に揃えて設けられた第４開口部を有している固定タブを備えている。折り返し端部はＵ字状折り返し端部またはＣ字状折り返し端部とすることができ、および／または、取付け板の鉛直外側の端部に設けることができる。
【００２１】
ベースは、形材支柱の形材面にベースを立てるために用いられるスペーサーと、取り付け板保持部が、固定部の水平固定形材面を跨いで突出するために用いられる支持面とを備えることができる。通過部をベースに貫通させて設けることができ、通過部を通って支持ブラケットの固定タブが、スペーサーと支持面の間に設けられた移行部分を延長している。支持ブラケットは、固定タブを９０°屈曲部に隣接させて、スペーサーに当接させて設置することができる。
【００２２】
取付け板組立体を取り付ける方法には以下のステップが含まれる：
・４つの型材支柱を備える矩形床フレームを備えたスイッチキャビネットフレームを提供するステップであって、前記矩形床フレームの外側面には、スイッチキャビネットフレームの外側封止面 よりも、スイッチキャビネットフレームの内部にずらされた固定部が備えられている、スイッチキャビネットフレームを提供するステップと、
・取付け板および取り付け板保持部を提供するステップであって、前記取り付け板保持部が複数の部材から構成され、支持ブラケットと、前記支持ブラケットに解放可能に接続されたベースと、を備えているステップと、
・前記支持ブラケットの固定タブを、前記取付け板の鉛直外側の端部に設けられた折り返し端部に固定することで、前記折り返し端部の端面が前記ベースの上に設置されるように、前記取り付け板保持部を前記取付け板に取り付けるステップと、
・前記外側封止面と前記固定部の間に延長する、４つの形材支柱のうちの１つの形材支柱の形材面に、前記ベースを介して前記取付け板を設置するステップであって、必要に応じて、前記取付け板の取付け面が鉛直になるまで、前記取付け板を旋回させるステップ。
【００２３】
前記取り付け板保持部を提供するステップには、前記支持ブラケットの前記固定タブを、前記ベースの通過部から前記ベースを貫通させて、前記支持ブラケットのＬ型形状部が前記ベースの支持面に当接して設置されるまで、押し込むことにより、前記ベースに前記支持ブラケットを接続させるステップが含まれていてもよい。
【００２４】
前記取付け板を設置するステップには、前記床フレームの前記外側面から、および／または、前記スイッチキャビネットフレームの前記外側封止面 から、前記取付け板を設置するステップを含むことができる。
【００２５】
取付け板の設置後、スイッチキャビネットフレームの内部に面する固定部の内側固定形材面から、取付け板を取り外すことができる。このために、取付け板を固定タブに接続させる固定ボルトを、必要に応じて事前に開放させることができる。スイッチキャビネットの内部から取付け板を取り外すことは、特に取付け板が自身の補強形材面を介して固定タブに固定される場合に簡単となり、好ましくは、取付け板の取付け面から離れて向く補強形材面の外側面を介して、固定タブが補強形材面に当接して設置されそこにねじ留めされる。
【００２６】
本発明のさらなる詳細は、以下の図に記載されている。
【図面の簡単な説明】
【００２７】
【図１】斜視図で表した取り付け板保持部の第１実施形態を示す。
【図２】斜視図で表した図１に係る実施形態の支持ブラケットを示す。
【図３】図１に係る取り付け板保持部を用いたスイッチキャビネットフレームの外側面の斜視図で表した取付け板組立体を示す。
【図４】スイッチキャビネットフレームの外側面の斜視図で表した取付け板組立体の別の実施形態を示す。
【図５】斜視図で表した取り付け板保持部の別の実施形態を示す。
【図６】ベースの底部を斜視図で表した図５の取り付け板保持部のベースに係る詳細図を示す。
【図７】斜視図で表した図５の取り付け板保持部の支持ブラケットに係る詳細図を示す。
【図８】断面図で表した図５に係る取り付け板保持部を用いた取付け板組立体の別の実施形態を示す。
【図９】取付け板に第１取付け姿勢で固定される取り付け板保持部の実施形態を示す。
【図１０】フレームの外側面の斜視図で表される図９に係る配置を用いた取付け板組立体を表す。
【図１１】取付け板に第２取り付け姿勢で固定される図９に係る取り付け板保持部の実施形態を表す。
【図１２】取付け板の取付け面の斜視図で表される図１１に係る配置を用いた取付け板組立体を表す。
【図１３】図１２に係る取付け板組立体の旋回を示す。
【図１４】上部取り付け板保持部に係る実施形態を示す。
【図１５】図１４に係る上部取り付け板保持部を用いた取り付け板保持部の配置を示す。
【発明を実施するための形態】
【００２８】
図１は取り付け板保持部２の実施形態を示す。取り付け板保持部は支持ブラケット７とベース８から構成され、両者はプラグ接続を介して互いに接続されている。ベースには、スペーサー１７とその上面に隣接する支持面１４とが備えられている。スペーサー１７を介して、取り付け板保持部を、スイッチキャビネットフレームの矩形床フレームの形材支柱の形材面に設置することができる。この目的のために形材面を実質的に水平に配列させることができる。
【００２９】
支持ブラケット７はその固定タブ１２が、ベース８を貫通して支持面１４に設けられた通過部を通って延長しており、固定タブ１２は支持面１４に対し、実質的に垂直に延長する。他の各図面を参照して説明される通り、取付け板は側部の鉛直な折り返し端部の端面を支持面１４の上に載せた状態で、開口部２７を用いて、固定タブ１２を取付け板の折り返し端部に固定させることができる。この目的のため、例えばケージナットを収容するために開口部２７を使用することができる。
【００３０】
支持ブラケット７は図２により詳細に図示されている。支持ブラケット７は実質的にＺ屈曲部から構成され、これはさらにＬ型形状部１３と、Ｌ型形状部１３に９０°の屈曲で接合されている固定タブ１２とから構成されている。固定タブ１２にはさらに、ケージナットなどの固定部材を固定するための開口部２７が設けられている。
【００３１】
Ｌ型折り返し部１３は、固定タブ１２から離れた末端に保持ウェブ３３が設けられており、取付け板が封止面に垂直な平面で固定されるよう、取付け板が垂直になったときに、型材フレームの固定部の裏側に支持ブラケット７が係合できるようになっている。保持ウェブ３３にある追加開口部３４を用いて支持ブラケット７を固定し、これにより取り付け板保持部２を床フレームの固定部に固定することができる。Ｌ型形状部１３にはまた開口部１９が設けられ、これは支持ブラケット７をネジ留めもしくは固定することにより、取り付け板保持部２を固定部６の水平固定面に固定することができる。
【００３２】
図１と図２を組み合わせてみると、支持ブラケット７とベース８は共に差し込むことにより実質的に接続され、特に取り付け板保持部２を一体的に形成する必要はないが、実施例によっては、例えばベース８をプラスチックから形成し、支持ブラケット７を鋼製から形成することも考えられ、支持ブラケット７の周りにベース８を成形することにより、取り付け板保持部を形成することができることがわかる。
【００３３】
図３は、下部屈曲部３６から側部折り返し端部１６までの移行領域において、取り付け板保持部２が取付け板１０の下側に固定されたときの、図１および図２に図示の取り付け板保持部２を図示している。特に、取付け板１０は、側部の鉛直な折り返し端部１６の端面１５がベース８の支持面１４の上に載せられている一方で、取付け面２２を取付け板１０の背面側に向かって９０°屈曲させることにより形成された水平屈曲部３６が、折り返し端部１６の領域内において、水平折り返し部３６の凹部のなかに受け入れられる。固定タブ１２には開口部２７に挿入されるケージナット３２が備えられ、これは特にスナップ方式による接続により開口部２７に接続可能である。ボルト３０が、取付け板１０の前側から取付け板１０の取付け面２２を貫通して延びており、固定タブ１２とケージナット３２を通って、取付け板１０を固定タブ１２に固定している。
【００３４】
スイッチキャビネットフレーム１には４つの形材支柱４からなる矩形床フレーム３が備えられ、その外側面５に固定部６が設けられ、前記固定部６は、スイッチキャビネットフレーム１の外側封止面 Ｅからスイッチキャビネットフレーム１の内側に向かってずれて設けられている。取り付け板保持部２は、ベースが形材支柱４の形材面９に接して設置されており、前記形材面９は封止面Ｅと固定部６の間に延び、特に固定部６の外側固定形材面２５と取付け面ＭＥの間に延びている。
【００３５】
図３に係る配置と比較して、図４に提供されている取付け板組立体では、特にベース８の支持面１４に形状適合部３５が設けられ、そこに水平折り返し部３６が形状適合して受け入れられることにより、取り付け板保持部２が水平方向に固定される。
【００３６】
図３および図４には、折り返し端部１６の取付け形材面２２と補強形材面２３に開口部２８が設けられることによって、取付け板の取付け面が固定部６の外側固定形材面２５に揃って配置される「最後部姿勢」に取付け板１０が配置されるか、あるいは取付け板１０の取付け面がフレーム１の内側に向かう固定部６の固定形材面２４に揃って配置される「後部取付け姿勢」に取付け板１０が配置されるかに応じて、補強形材面２３を介して、支持ブラケット７の固定タブ１２に取付け形材面２２を任意選択的に固定することができることが図示されている。
【００３７】
図３および図４に図示の「最後部姿勢」に係るフレーム１内部での取付け板１０の配置は、取付け板１０をフレーム１の内部に取り付ける上で最も省スペースな方法である。封止面Ｅはフレーム１の周囲封止端部により形成され、これに当接してスイッチキャビネットの後壁などのスイッチキャビネットの平坦部分を、封止した状態で設置することができる。図示の通り、一方でベース８を、他方で補強形材面２３が、封止基準位置の前に直接配置されている。
【００３８】
図５〜７には図１および図２に図示の取り付け板保持部とは異なる取り付け板保持部の別の実施形態が図示されており、特にベース８の支持面１４がＬ型形状部１３の水平面を完全に越えて突出しており、これにより固定タブ１２に対する取付け板の既に説明した取付け姿勢のうち何れに対しても、平坦で連続的な支持面１４が形成されるように構成される。加えて、支持面１４に第１開口部１８が設けられ、第１開口部１８は支持ブラケット７の第２開口部１９に揃って配置される。図８との組み合わせから示されるように、開口部１８，１９を固定部６の水平固定形材面２９に設けられた追加開口部２０に揃って配置させることができ、これにより上記３つの部材をボルト２１でまとめてネジ留めすることができる。
【００３９】
特に図６に明示されている通り、ベース８は、スペーサー１７と支持面１４の間に設けられた移行部分に通過部１１を設けることが可能で、スペーサー１７を介してベース８を矩形床フレームの形材支柱の形材面に設置できるようになっており、またこの通過部から支持ブラケット７のタブ１２が貫通できるようになっており、Ｌ型形状部１３の水平面が支持面１４の下側に対して平坦に設置されるまでタブ１２が通過部を貫通することにより、ベース８と支持ブラケット７が１つのユニットを形成する。Ｌ型形状部１３の保持ウェブ３３は、支持面１４の下側で、スペーサー１７から距離を置いてスペーサー１７と平行に延長しており、Ｌ型形状部１３の水平面と、スペーサーと、保持ウェブにより形成されたレセプタクルの中に固定部６（図８を参照のこと）を収容できるようになっている。固定タブ１２がＬ型形状部１３に結合する部分である９０°屈曲部２６には、支持ブラケット７を補強するビーズ３１が設けられている。
【００４０】
図８および図１１〜１３には固定タブ１２が補強形材面２３にネジ留めされる「後部取付け姿勢」で取付け板１０が配置されるが、図９および図１０では、固定タブ１２が取付け形材面２２にネジ留めされる「最後部姿勢」に取付け板１０が配置される。図８に図示の取付け配置では、支持面１４に接する折り返し端部１６がスペーサー１７の前に配置されているのに対して、図９および図１０に図示の取り付け姿勢では、折り返し端部１６が支持面１４に接してスペーサー１７より上に直接設置され、取付け面ＭＥから固定タブ１２にネジ留めされる。
【００４１】
図１２は、取付け板が「後部取付け姿勢」（図８を参照）に配置されたとき、取付け面ＭＥが固定部６の内側固定形材面２４に揃って配置され、スイッチキャビネットの内部で内側固定形材面２４と取付け面ＭＥとの間に連続的な取付け面が形成されるようになっている様子を示している。
【００４２】
取付け板がスイッチキャビネットフレームの外側からスイッチキャビネットフレームに取付けられた場合でも、取付け板１０を通常の方法でスイッチキャビネットフレーム１の内側から取り外すことは、妨げられない。必要な事は、取付け面ＭＥとそこに設けられた追加開口部２８から固定ボルト３０を緩め、これによりボルト３０をケージナット３２から外すことだけである（図８を参照のこと）。固定タブ１２はスイッチキャビネットフレームの内側から見て折り返し端部１６の後ろに配置されるため、ボルト３０を緩めた後で取付け板１０を手前側に取り外すことができる。
【００４３】
図１３に図示の通り、本発明に係る取付け板組立体は、取り付け板保持部２を取付け板１０の下端で予め組み立てた状態で、取付け板１０を、フレーム１の外側から鉛直の取付け姿勢まで旋回させることができ、保持部２が固定部６の後ろで係合し、保持ウェブ３３が内側固定形材面２４に接触して、必要な場合に固定形材面２４にネジ留めできるようになっている。ボルト３０を緩めることで、取付け板１０をフレーム１の内側から通常の方法でいつでも取り外すことができる。
【００４４】
図１４および図１５は上部取り付け板保持部３７に関する１つの実施形態を示している。上部取り付け板保持部には、フレーム１の外側固定形材面２５に固定可能とする固定フランジ３９と、保持部３７を取付け板の取付け面ＭＥの裏側に接触させ、かつボルト４２を用いて取付け板１０にネジ留めする支持フランジ４０と、が備えられている。固定フランジ３９と支持フランジ４０は屈曲部３８により互いが連結されており、そこに取付け板１０の水平折り返し部３６がフレーム１の内側から係合する。これにより取付け板１０をフレーム１の外側から取り付けた後であっても、その後取付け板１０を通常の方法でフレーム１の内側から取り外すことができて、例えば、取付け板１０が取り付けられた後にフレームの裏側が外側から平坦な部材で閉鎖された場合に、取付け板１０を通常の方法でフレーム１の内側から取り外すことができる。
【００４５】
上記の説明、図面、および特許請求の範囲に開示された本発明の特徴は、個々にまたは任意の組み合わせで、本発明を実現するために不可欠であり得る。
【符号の説明】
【００４６】
１  スイッチキャビネットフレーム
２  取り付け板保持部
３  床フレーム
４  形材支柱
５  外側面
６  固定部
７  支持ブラケット
８  ベース
９  形材面
１０  取付け板
１１  通過部
１２  固定タブ
１３  形状部
１４  支持面
１５  端面
１６  折り返し端部
１７  スペーサー
１８  第１開口部
１９  第２開口部
２０  第３開口部
２１  固定部材
２２  取付け形材面
２３  補強形材面
２４  内側形材面
２５  外側形材面
２６  ９０°屈曲部
２７  第４開口部
２８  追加開口部
２９  水平固定形材面
３０  ボルト
３１  ビーズ
３２  ケージナット
３３  保持ウェブ
３４  追加開口部
３５  形状適合部
３６  水平折り返し部
３７  上部保持部
３８  屈曲部
３９  固定フランジ
４０  支持フランジ
４１  鍵孔
４２  ボルト
Ｅ  封止面
ＭＥ  取付け面
【図１】
0006806929.tif 000002
【図２】
0006806929.tif 000003
【図３】
0006806929.tif 000004
【図４】
0006806929.tif 000005
【図５】
0006806929.tif 000006
【図６】
0006806929.tif 000007
【図７】
0006806929.tif 000008
【図８】
0006806929.tif 000009
【図９】
0006806929.tif 000010
【図１０】
0006806929.tif 000011
【図１１】
0006806929.tif 000012
【図１２】
0006806929.tif 000013
【図１３】
0006806929.tif 000014
【図１４】
0006806929.tif 000015
【図１５】
0006806929.tif 000016